(57)【要約】【課題】様々な視聴者に対して適切な広告関連物品を簡易かつ効率的に提供することができるデジタルサイネージシステム及び広告関連物品投出装置を提供すること。【解決手段】デジタルサイネージ装置１０のタッチパネル表示部１１への広告データ１４ａの表示が終わり、視聴者がタッチパネル表示部１１の一部をタッチ操作すると、広告情報送信部１５ｂが広告Ｎｏを広告関連物品投出装置２０に送信し、広告関連物品投出装置２０は、広告関連物品テーブル２４ａを参照して、この広告Ｎｏに対応する広告関連物品３を収納する広告関連物品収納部２２のラックＮｏを特定し、特定したラックＮｏに収納した広告データ１４ａに対応する広告関連物品３を投出口２６に投出する。【選択図】図４
2012037587.tif 000002
【特許請求の範囲】
【請求項１】
広告画像若しくは広告映像を含む広告情報を表示するデジタルサイネージ装置と、前記広告情報に関連する広告関連物品を所定の投出口に投出する広告関連物品投出装置とを接続したデジタルサイネージシステムであって、
前記デジタルサイネージ装置は、
所定の表示部に広告情報を表示制御する表示制御部と、
視聴者による前記広告関連物品の投出指示操作を受け付ける操作部と、
前記操作部から前記広告関連物品の投出指示操作を受け付けた場合に、前記表示制御部により前記表示部に表示制御された広告情報の識別情報を送信する広告情報通知部と、を備え、
前記広告関連物品投出装置は、
前記デジタルサイネージ装置に表示される複数の広告情報にそれぞれ対応する複数の広告関連物品を収納する広告関連物品収納部と、
前記複数の広告情報と前記広告関連物品収納部に収納された複数の広告関連物品との対応関係を記憶する広告関連物品テーブルと、
前記デジタルサイネージ装置から通知される広告情報の識別情報を受け付けた場合に、前記広告関連物品テーブルに基づいて前記デジタルサイネージ装置に表示された広告情報に対応する広告関連物品を選択処理する選択処理部と、
前記選択処理部により選択された広告関連物品を前記広告関連物品収納部から前記投出口に投出制御する投出制御部と、を備えた
ことを特徴とするデジタルサイネージシステム。
【請求項２】
前記操作部は、前記広告映像の表示を終えた時に、前記視聴者による前記広告関連物品の投出指示操作を受け付け可能とすることを特徴とする請求項１に記載のデジタルサイネージシステム。
【請求項３】
前記デジタルサイネージ装置は、
視聴者を撮像する撮像部と、前記撮像部により撮像された該視聴者の画像に基づいて該視聴者の属性情報を特定する属性情報特定処理部とをさらに備え、前記広告情報通知部は、前記操作部から前記広告関連物品の投出指示操作を受け付けた場合に、前記属性情報特定処理部で特定された前記視聴者の属性情報を前記広告情報の識別情報とともに送信し、
前記広告関連物品投出装置は、
前記広告関連物品テーブルは、少なくとも広告情報の識別情報、視聴者の属性情報及び広告関連物品を収納する収納部の識別情報を対応づけて記憶し、
前記選択処理部は、前記操作受付部により前記広告関連物品の投出指示操作及び視聴者の属性情報を受け付けた場合に、前記広告関連物品テーブルに基づいて前記デジタルサイネージ装置に表示される広告情報並びに視聴者の属性情報に対応する広告関連物品を選択処理する
ことを特徴とする請求項１に記載のデジタルサイネージシステム。
【請求項４】
前記撮像部は、少なくとも視聴者の顔画像を撮像し、前記属性情報特定処理部は、前記撮像部により撮像された該視聴者の顔画像に基づいて該視聴者の年齢及び／又は性別を含む属性情報を特定することを特徴とする請求項３に記載のデジタルサイネージシステム。
【請求項５】
前記デジタルサイネージ装置は、前記視聴者が前記表示部に表示制御された広告情報を所定の時間視聴したか否かを判定する判定部をさらに備え、前記広告情報通知部は、前記操作部から前記広告関連物品の投出指示操作を受け付け、かつ、前記判定部により前記視聴者が所定の時間視聴したと判定された場合に、前記表示制御部により前記表示部に表示制御された広告情報の識別情報を送信することを特徴とする請求項１〜４のいずれか一つに記載のデジタルサイネージシステム。
【請求項６】
前記デジタルサイネージ装置は、前記操作部を用いて入力されたアンケート情報を記憶部するアンケート情報記憶部をさらに備えたことを特徴とする請求項１〜５のいずれか一つに記載のデジタルサイネージシステム。
【請求項７】
広告画像若しくは広告映像を含む広告情報を表示するデジタルサイネージ装置に接続され、前記広告情報に関連する広告関連物品を所定の投出口に投出する広告関連物品投出装置であって、
前記デジタルサイネージ装置に表示される複数の広告情報にそれぞれ対応する複数の広告関連物品を収納する広告関連物品収納部と、
前記複数の広告情報と前記広告関連物品収納部に収納された複数の広告関連物品との対応関係を記憶する広告関連物品テーブルと、
前記デジタルサイネージ装置から通知される広告情報の識別情報を受け付けた場合に、前記広告関連物品テーブルに基づいて前記デジタルサイネージ装置に表示された広告情報に対応する広告関連物品を選択処理する選択処理部と、
前記選択処理部により選択された広告関連物品を前記広告関連物品収納部から前記投出口に投出制御する投出制御部と
を備えたことを特徴とする広告関連物品投出装置。
【請求項８】
前記広告関連物品テーブルは、少なくとも広告情報の識別情報、視聴者の属性情報及び広告関連物品を収納する収納部の識別情報を対応づけて記憶し、
前記選択処理部は、前記操作受付部により前記広告関連物品の投出指示操作及び視聴者の属性情報を受け付けた場合に、前記広告関連物品テーブルに基づいて前記デジタルサイネージ装置に表示される広告情報並びに視聴者の属性情報に対応する広告関連物品を選択処理する
ことを特徴とする請求項７に記載の広告関連物品投出装置。
【発明の詳細な説明】
【技術分野】
【０００１】
本発明は、デジタルサイネージシステム及び広告関連物品投出装置に関し、特に、様々な視聴者に対して適切な広告関連物品を簡易かつ効率的に提供することができるデジタルサイネージシステム及び広告関連物品投出装置に関する。
【背景技術】
【０００２】
従来、デジタルサイネージ（Digital Signage）と呼ばれる広告技術が知られている。このデジタルサイネージは、表示と通信にデジタル技術を活用して平面ディスプレイやプロジェクタ等に映像や情報を表示する広告媒体である。このデジタルサイネージによれば、秒単位での表示内容の切り替えや動画表示が可能であるため、多様な映像広告を展開することができる。
【０００３】
このため、かかるデジタルサイネージに関する従来技術が知られている。例えば、特許文献１には、デジタルサイネージ端末のリーダライタからモバイル端末に取り付けられた非接触ＩＣチップに対して無線通信で配信データを配信する技術が開示されている。
【０００４】
最近では、単にデジタルサイネージ端末に広告を表示するだけではなく、表示した広告に関連する利用券、割引券又はサンプル物品等（以下、「広告関連物品」と総称する）を投出する装置が開発されている。例えば、スーパー等の店頭に設置するデジタルサイネージ装置に商品見本の投出装置を組み合わせ、お財布携帯電話を翳した視聴者に対して商品見本を投出するシステムが知られている。
【先行技術文献】
【特許文献】
【０００５】
【特許文献１】特開２０１０−７４４０１号公報
【発明の概要】
【発明が解決しようとする課題】
【０００６】
しかしながら、上記特許文献１並びに従来技術によれば、視聴者は、お財布携帯電話のような非接触ＩＣチップを搭載した高機能な携帯電話機をデジタルサイネージ端末のリーダライタに翳さねば、広告関連物品を入手することができない。言い換えると、かかる高機能な携帯電話機を保有しない視聴者は、広告関連物品を入手することができない。
【０００７】
デジタルサイネージ端末に表示した広告に対するアイキャッチを高めるために、視聴者に対して広告関連物品を提供しているため、高機能な携帯電話機を保有する一部の視聴者に対してしか広告関連物品を提供できないのは広告効果の面から見て妥当ではない。
【０００８】
また、デジタルサイネージ装置には、多種多様な広告内容が表示されるため、視聴者に対して常に同じ広告関連物品を提供することは妥当ではない。広告効果を高めるためには、多種多様な広告内容に適した広告関連物品を提供すべきである。
【０００９】
これらのことから、広告関連物品の提供者を特定の視聴者のみに限定するのではなく、様々な視聴者に対して適切な広告関連物品をいかに効率的に提供するかが大きな課題となっている。
【００１０】
本発明は、上述した従来技術による問題点を解消するためになされたものであって、様々な視聴者に対して適切な広告関連物品を簡易かつ効率的に提供することができるデジタルサイネージシステム及び広告関連物品投出装置を提供することを目的とする。
【課題を解決するための手段】
【００１１】
上述した課題を解決し、目的を達成するため、本発明は、広告画像若しくは広告映像を含む広告情報を表示するデジタルサイネージ装置と、前記広告情報に関連する広告関連物品を所定の投出口に投出する広告関連物品投出装置とを接続したデジタルサイネージシステムであって、前記デジタルサイネージ装置は、所定の表示部に広告情報を表示制御する表示制御部と、視聴者による前記広告関連物品の投出指示操作を受け付ける操作部と、前記操作部から前記広告関連物品の投出指示操作を受け付けた場合に、前記表示制御部により前記表示部に表示制御された広告情報の識別情報を送信する広告情報通知部と、を備え、前記広告関連物品投出装置は、前記デジタルサイネージ装置に表示される複数の広告情報にそれぞれ対応する複数の広告関連物品を収納する広告関連物品収納部と、前記複数の広告情報と前記広告関連物品収納部に収納された複数の広告関連物品との対応関係を記憶する広告関連物品テーブルと、前記デジタルサイネージ装置から通知される広告情報の識別情報を受け付けた場合に、前記広告関連物品テーブルに基づいて前記デジタルサイネージ装置に表示された広告情報に対応する広告関連物品を選択処理する選択処理部と、前記選択処理部により選択された広告関連物品を前記広告関連物品収納部から前記投出口に投出制御する投出制御部と、を備えたことを特徴とする。
【００１２】
また、本発明は、上記発明において、前記操作部は、前記広告映像の表示を終えた時に、前記視聴者による前記広告関連物品の投出指示操作を受け付け可能とすることを特徴とする。
【００１３】
また、本発明は、上記発明において、前記デジタルサイネージ装置は、視聴者を撮像する撮像部と、前記撮像部により撮像された該視聴者の画像に基づいて該視聴者の属性情報を特定する属性情報特定処理部とをさらに備え、前記広告情報通知部は、前記操作部から前記広告関連物品の投出指示操作を受け付けた場合に、前記属性情報特定処理部で特定された前記視聴者の属性情報を前記広告情報の識別情報とともに送信し、前記広告関連物品投出装置は、前記広告関連物品テーブルは、少なくとも広告情報の識別情報、視聴者の属性情報及び広告関連物品を収納する収納部の識別情報を対応づけて記憶し、前記選択処理部は、前記操作受付部により前記広告関連物品の投出指示操作及び視聴者の属性情報を受け付けた場合に、前記広告関連物品テーブルに基づいて前記デジタルサイネージ装置に表示される広告情報並びに視聴者の属性情報に対応する広告関連物品を選択処理することを特徴とする。
【００１４】
また、本発明は、上記発明において、前記撮像部は、少なくとも視聴者の顔画像を撮像し、前記属性情報特定処理部は、前記撮像部により撮像された該視聴者の顔画像に基づいて該視聴者の年齢及び／又は性別を含む属性情報を特定することを特徴とする。
【００１５】
また、本発明は、上記発明において、前記デジタルサイネージ装置は、前記視聴者が前記表示部に表示制御された広告情報を所定の時間視聴したか否かを判定する判定部をさらに備え、前記広告情報通知部は、前記操作部から前記広告関連物品の投出指示操作を受け付け、かつ、前記判定部により前記視聴者が所定の時間視聴したと判定された場合に、前記表示制御部により前記表示部に表示制御された広告情報の識別情報を送信することを特徴とする。
【００１６】
また、本発明は、上記発明において、前記デジタルサイネージ装置は、前記操作部を用いて入力されたアンケート情報を記憶部するアンケート情報記憶部をさらに備えたことを特徴とする。
【００１７】
また、本発明は、広告画像若しくは広告映像を含む広告情報を表示するデジタルサイネージ装置に接続され、前記広告情報に関連する広告関連物品を所定の投出口に投出する広告関連物品投出装置であって、前記デジタルサイネージ装置に表示される複数の広告情報にそれぞれ対応する複数の広告関連物品を収納する広告関連物品収納部と、前記複数の広告情報と前記広告関連物品収納部に収納された複数の広告関連物品との対応関係を記憶する広告関連物品テーブルと、前記デジタルサイネージ装置から通知される広告情報の識別情報を受け付けた場合に、前記広告関連物品テーブルに基づいて前記デジタルサイネージ装置に表示された広告情報に対応する広告関連物品を選択処理する選択処理部と、前記選択処理部により選択された広告関連物品を前記広告関連物品収納部から前記投出口に投出制御する投出制御部とを備えたことを特徴とする。
【００１８】
また、本発明は、上記発明において、前記広告関連物品テーブルは、少なくとも広告情報の識別情報、視聴者の属性情報及び広告関連物品を収納する収納部の識別情報を対応づけて記憶し、前記選択処理部は、前記操作受付部により前記広告関連物品の投出指示操作及び視聴者の属性情報を受け付けた場合に、前記広告関連物品テーブルに基づいて前記デジタルサイネージ装置に表示される広告情報並びに視聴者の属性情報に対応する広告関連物品を選択処理することを特徴とする。
【発明の効果】
【００１９】
本発明によれば、デジタルサイネージ装置は、所定の表示部に広告情報を表示制御するとともに、視聴者による広告関連物品の投出指示操作を受け付けた場合に、表示部に表示制御された広告情報の識別情報を広告関連物品投出装置に対して送信し、広告関連物品投出装置は、デジタルサイネージ装置に表示される複数の広告情報にそれぞれ対応する複数の広告関連物品を収納しておき、複数の広告情報と広告関連物品との対応関係を広告関連物品テーブルに記憶し、デジタルサイネージ装置から通知される広告情報の識別情報を受け付けた場合に、広告関連物品テーブルに基づいてデジタルサイネージ装置に表示された広告情報に対応する広告関連物品を選択して、選択された広告関連物品を投出口に投出制御するよう構成したので、高機能な携帯電話を持っていないような様々な視聴者に対して、表示部に表示された広告情報に合った適切な広告関連物品を簡易かつ効率的に提供し、もって広告効果を高めることができる。
【００２０】
また、本発明によれば、操作部は、広告映像の表示を終えた時に、視聴者による広告関連物品の投出指示操作を受け付け可能とするよう構成したので、視聴者が広告情報の視聴を終えたことを条件として広告関連物品を投出することができ、これにより視聴者が広告情報を視聴するインセンティブを高めることができる。
【００２１】
また、本発明によれば、デジタルサイネージ装置は、撮像部により撮像された視聴者の画像に基づいて該視聴者の属性情報を特定し、操作部から広告関連物品の投出指示操作を受け付けた場合に、視聴者の属性情報を広告情報の識別情報とともに送信する。広告関連物品投出装置の広告関連物品テーブルには、少なくとも広告情報の識別情報、視聴者の属性情報及び広告関連物品を収納する収納部の識別情報を対応づけて記憶しておき、操作受付部により広告関連物品の投出指示操作及び視聴者の属性情報を受け付けた場合に、広告関連物品テーブルに基づいてデジタルサイネージ装置に表示される広告情報並びに視聴者の属性情報に対応する広告関連物品を選択処理するよう構成したので、視聴者の属性に適合した広告関連物品を投出し、もって広告効果を高めることができる。
【００２２】
また、本発明によれば、少なくとも視聴者の顔画像を撮像し、撮像された該視聴者の顔画像に基づいて該視聴者の年齢及び／又は性別を含む属性情報を特定するよう構成したので、視聴者の性別や年齢等に適合した広告関連物品を投出し、もって広告効果を高めることができる。
【００２３】
また、本発明によれば、デジタルサイネージ装置は、視聴者が表示部に表示制御された広告情報を所定の時間視聴したか否かを判定し、操作部から広告関連物品の投出指示操作を受け付け、かつ、視聴者が所定の時間視聴したと判定された場合に、表示部に表示制御された広告情報の識別情報を送信するよう構成したので、広告情報を視聴した視聴者を対象として広告関連物品を提供し、もって視聴者が広告情報を視聴するインセンティブを高めることができる。
【００２４】
また、本発明によれば、デジタルサイネージ装置は、操作部を用いて入力されたアンケート情報を記憶部するよう構成したので、視聴者によるアンケート結果を踏まえて商品等の改善を図ることができる。
【００２５】
また、本発明によれば、広告関連物品投出装置は、デジタルサイネージ装置に表示される複数の広告情報にそれぞれ対応する複数の広告関連物品を収納しておき、複数の広告情報と広告関連物品との対応関係を広告関連物品テーブルに記憶し、デジタルサイネージ装置から通知される広告情報の識別情報を受け付けた場合に、広告関連物品テーブルに基づいてデジタルサイネージ装置に表示された広告情報に対応する広告関連物品を選択して、選択された広告関連物品を投出口に投出制御するよう構成したので、高機能な携帯電話を持っていないような様々な視聴者に対して、表示部に表示された広告情報に合った適切な広告関連物品を簡易かつ効率的に提供し、もって広告効果を高めることができる。
【００２６】
また、本発明によれば、広告関連物品テーブルには、少なくとも広告情報の識別情報、視聴者の属性情報及び広告関連物品を収納する収納部の識別情報を対応づけて記憶しておき、操作受付部により広告関連物品の投出指示操作及び視聴者の属性情報を受け付けた場合に、広告関連物品テーブルに基づいてデジタルサイネージ装置に表示される広告情報並びに視聴者の属性情報に対応する広告関連物品を選択処理するよう構成したので、視聴者の属性に適合した広告関連物品を投出し、もって広告効果を高めることができる。
【図面の簡単な説明】
【００２７】
【図１】図１は、実施例１に係るデジタルサイネージシステムの外観構成を示す図である。
【図２】図２は、図１に示したデジタルサイネージシステムの分解斜視図である。
【図３】図３は、図２に示した広告関連物品投出装置に対する広告関連物品の収納態様を説明する説明図である。
【図４】図４は、図２に示したデジタルサイネージ装置及び広告関連物品投出装置の内部構成を示す機能ブロック図である。
【図５】図５は、図４に示した広告関連物品テーブルの一例を示す図である。
【図６】図６は、図４に示したデジタルサイネージ装置及び広告関連物品投出装置の処理手順を示すフローチャートである。
【図７】図７は、実施例２に係るデジタルサイネージシステムの外観構成を示す図である。
【図８】図８は、図７に示したデジタルサイネージ装置及び広告関連物品投出装置の内部構成を示す機能ブロック図である。
【図９】図９は、図８に示した広告関連物品テーブルの一例を示す図である。
【図１０】図１０は、図８に示したデジタルサイネージ装置及び広告関連物品投出装置の処理手順を示すフローチャートである。
【図１１】図１１は、デジタルサイネージ装置の別の内部構成例を示す機能ブロック図である。
【発明を実施するための形態】
【００２８】
以下に、本願の開示するデジタルサイネージシステム及び広告関連物品投出装置の実施例を図面に基づいて詳細に説明する。なお、以下に示す実施例１では、広告データに適合した広告関連物品を提供する場合を説明し、実施例２では、広告データ及び視聴者の属性情報に適合した広告関連物品を提供する場合を説明する。なお、これらの実施例によって、本発明が限定されるものではない。
【実施例１】
【００２９】
まず、本実施例１に係るデジタルサイネージシステム１の外観構成を説明する。図１は、実施例１に係るデジタルサイネージシステム１の外観構成を示す図であり、図２は、図１に示したデジタルサイネージシステム１の分解斜視図である。
【００３０】
図１及び図２に示すデジタルサイネージシステム１は、スーパー等の店頭に設置される広告媒体としての装置であり、表示と通信にデジタル技術を活用してタッチパネル表示部１１に広告画像や広告映像等の広告データを表示するデジタルサイネージ装置１０と、商品見本や割引券等の広告関連物品を投出する広告関連物品投出装置２０とを有する。
【００３１】
このデジタルサイネージ装置１０は、図示しないパーソナルコンピュータと接続され、該パーソナルコンピュータから複数の広告画像や広告映像等の広告データやスケジューリングデータが取り込まれる。そして、取り込まれたスケジューリングデータにしたがって、例えば広告データＡ、広告データＢ、広告データＣ、広告データＡ…、と言うように循環的に広告データがタッチパネル表示部１１に表示制御される。
【００３２】
そして、デジタルサイネージ装置１０が、ある広告データの表示を終えたならば、この広告データに関連する商品見本や割引券等の広告関連物品３を視聴者が入手できる状態となる。具体的には、ある広告データの表示を終えたならば、タッチパネル表示部１１の一部が入力可能な状態となり、視聴者がこのタッチパネル表示部１１の一部に所定のタッチ操作を行うと、広告関連物品投出装置２０の投出口２６に広告関連物品３が投出される。
【００３３】
ここで、本実施例１に係るデジタルサイネージシステム１は、お財布携帯電話のように非接触ＩＣチップを搭載した高機能な携帯電話機を保持しない視聴者であっても、広告関連物品３を入手することができる。視聴者は、高機能な携帯電話機を保持していなくとも、タッチパネル表示部１１の一部に所定のタッチ操作を行うと、広告関連物品３が投出口２６に投出される。
【００３４】
また、広告関連物品投出装置２０の広告関連物品収納部２２には、タッチパネル表示部１１に表示される複数の広告データに対応する広告関連物品３をそれぞれ収納することができる。そして、視聴者が、タッチパネル表示部１１の一部にタッチ操作を行うと、このタッチパネル表示部１１に表示される広告データに対応する広告関連物品３が投出口２６に投出される。このため、視聴者は、自らが実際に視聴した広告データに対応する広告関連物品３を入手することになるため、視聴者が広告関連物品３を手に取る度に広告データを想起させることが可能となる。
【００３５】
ここで、この広告関連物品３には、サンプル商品、割引券、利用券、広告が印字された粗品等の様々な形状のものがある。このため、図３に示すように、これらの広告関連物品は、収納ボックス２に収納した状態で広告関連物品収納部２２に収納される。なお、この収納ボックス２は、例えば紙製のタバコケースのようなものを利用することができる。
【００３６】
次に、図２に示したデジタルサイネージ装置１０及び広告関連物品投出装置２０の内部構成を説明する。図４は、図２に示したデジタルサイネージ装置１０及び広告関連物品投出装置２０の内部構成を示す機能ブロック図である。
【００３７】
図４に示すように、このデジタルサイネージ装置１０は、タッチパネル表示部１１と、インタフェース部（以下、「Ｉ／Ｆ部」と言う）１２と、Ｉ／Ｆ部１３と、記憶部１４と、制御部１５とを有する。
【００３８】
タッチパネル表示部１１は、広告データ等を表示するとともに、視聴者による操作入力を受け付けが可能となる入出力デバイスである。Ｉ／Ｆ部１２は、広告関連物品投出装置２０と通信を行うためのインタフェース部であり、Ｉ／Ｆ部１３は、図示しないパーソナルコンピュータ（以下、「ＰＣ」と言う）と通信を行うためのインタフェース部である。
【００３９】
記憶部１４は、ハードディスク装置や不揮発性メモリ等の記憶デバイスであり、図示しないＰＣから受信した広告画像又は広告映像を含む広告データ１４ａと、複数の広告データを表示制御する順序を示すスケジューリングデータ１４ｂを記憶する。
【００４０】
制御部１５は、デジタルサイネージ装置１０の全体制御を行う制御部であり、表示制御部１５ａ及び広告情報送信部１５ｂを有する。具体的には、コンピュータを用いてデジタルサイネージ装置１０を実装する場合には、この制御部１５がＣＰＵに相当し、表示制御部１５ａ及び広告情報送信部１５ｂに対応するプロセスを図示しない不揮発性メモリやＲＯＭから読み込んでＣＰＵ上で実行することになる。
【００４１】
表示制御部１５ａは、記憶部１４に記憶した広告データ１４ａをスケジューリングデータ１４ｂに従ってタッチパネル表示部１１に表示制御する処理部である。また、この表示制御部１５ａは、広告データ１４ａの表示を終えたならば、タッチパネル表示部１１の一部の領域をタッチ入力可能状態とするとともに、例えば「広告に関連するサンプル等を欲しい方は、この部分をタッチして下さい」と表示する。
【００４２】
広告情報送信部１５ｂは、タッチパネル表示部１１の一部の領域に対する視聴者のタッチ入力を受け付けた場合に、タッチパネル表示部１１に表示制御された広告データ１４ａを一意に識別する識別番号（以下、「広告Ｎｏ」と言う）を広告関連物品投出装置２０に対して送信する処理部である。例えば、制御部１５が図示しないタイマを有しており、スケジューリングデータ１４ｂ内に広告データ１４ａの表示時刻が規定されている場合には、タッチパネル表示部１１の一部の領域に対してタッチ入力された時刻並びにスケジュールデータに基づいて広告データ１４ａの識別情報を特定することができる。
【００４３】
次に、図４に示した広告関連物品投出装置２０の内部構成について説明する。図４に示すように、この広告関連物品投出装置２０は、Ｉ／Ｆ部２１と、広告関連物品収納部２２と、広告関連物品投出機構２３と、記憶部２４と、制御部２５とを有する。
【００４４】
Ｉ／Ｆ部２１は、デジタルサイネージ装置１０と通信を行うためのインタフェース部であり、広告関連物品収納部２２は、図３に示した収納ボックス３に収納された広告関連物品３を収納する収納部である。この広告関連物品収納部２２は、複数種類の異なる広告関連物品３をそれぞれ異なるラックに収納する。
【００４５】
広告関連物品投出機構２３は、広告関連物品収納部２２に収納された複数の広告関連物品３のうちの投出指示対象となる広告関連物品３を投出口２６に投出する機構部である。具体的には、特開平８−６３６５６号公報に記載される自動販売機の商品投出装置等を用いて広告関連物品３を投出口２６に投出することになる。なお、この広告関連物品投出機構２３は、本実施例１の特徴部分ではないため、様々な従来技術を用いて実現することができる。
【００４６】
記憶部２４は、ハードディスク装置や不揮発性メモリ等の記憶デバイスであり、デジタルサイネージ装置１０に表示する広告データ１４ａの広告種別データと広告関連物品種別データとの対応関係が記述された広告関連物品テーブル２４ａを記憶する。なお、この広告広告関連物品テーブル２４ａは、Ｉ／Ｆ部２１に接続した図示しないＰＣから受信することで、記憶部２４に記憶できる。また、この広告関連物品投出装置２０に設けられた図示しない入力部を用いて広告広告関連物品テーブル２４ａを設定することもできる。
【００４７】
図５は、図４に示した広告関連物品テーブル２４ａの一例を示す図である。同図に示すように、この広告関連物品テーブル２４ａは、広告Ｎｏ及び広告内容からなる広告種別データと、広告関連物品３が収納されるラックのラック番号（以下、「ラックＮｏ」と言う）及び物品名からなる広告関連物品種別データとを対応づけたものである。
【００４８】
図５には、広告Ｎｏ１及び広告内容「旅行Ａ」からなる広告種別データと、ラックＮｏ１０及び物品名「割引券」からなる広告関連物品種別データとが対応づけられ、広告Ｎｏ２及び広告内容「製品Ｂ」からなる広告種別データと、ラックＮｏ１１及び物品名「ライター」からなる広告関連物品種別データとが対応づけられ、広告Ｎｏ３及び広告内容「化粧品Ｃ」からなる広告種別データと、ラックＮｏ１０及び物品名「サンプル」からなる広告関連物品種別データとが対応づけられた状況を示している。
【００４９】
制御部２５は、広告関連物品投出装置２０の全体制御を行う制御部であり、選択処理部２５ａ及び投出制御部２５ｂを有する。具体的には、コンピュータを用いて広告関連物品投出装置２０を実装する場合には、この制御部２５がＣＰＵに相当し、選択処理部２５ａ及び投出制御部２５ｂに対応するプロセスを図示しない不揮発性メモリやＲＯＭから読み込んでＣＰＵ上で実行することになる。
【００５０】
選択処理部２５ａは、デジタルサイネージ装置１０から通知される広告Ｎｏを受け付けた場合に、広告関連物品テーブル２４ａに基づいてデジタルサイネージ装置１０に表示された広告データに対応する広告関連物品３を選択処理する処理部である。例えばデジタルサイネージ装置１０から広告Ｎｏ１を受け付けると、図５に示す広告関連物品テーブル２４ａを参照して旅行Ａに対応する割引券が投出対象として選択されることになる。
【００５１】
投出制御部２５ｂは、選択処理部２５ａにより選択された広告関連物品３を広告関連物品収納部２２から投出口２６に投出制御する制御部である。
【００５２】
次に、図４に示したデジタルサイネージ装置１０及び広告関連物品投出装置２０の処理手順について説明する。図６は、図４に示したデジタルサイネージ装置１０及び広告関連物品投出装置２０の処理手順を示すフローチャートである。ここでは、説明の便宜上、スケジューリングデータ１４ｂはすでに読み込まれているものとする。
【００５３】
図６に示すように、デジタルサイネージ装置１０は、記憶部１４に記憶した広告データ１４ａを読み込み（ステップＳ１０１）、スケジューリングデータ１４ｂに従って広告データ１４ａを再生する（ステップＳ１０２）。そして、広告データ１４ａの再生を終了したならば（ステップＳ１０３Ｙｅｓ）、タッチパネル表示部１１の一部の領域を有効化して、視聴者によるタッチ操作を受け付け可能な状態とする（ステップＳ１０４）。
【００５４】
ここで、視聴者によるタッチ操作を受け付けたならば（ステップＳ１０５Ｙｅｓ）、それまでタッチパネル表示部１１に表示していた広告データの広告Ｎｏを広告関連物品投出装置２０に送信して（ステップＳ１０６）、ステップＳ１０１に移行する。一方、視聴者によるタッチ操作を受け付けなかった場合には（ステップＳ１０５Ｎｏ）、そのままステップＳ１０１に移行する。
【００５５】
広告関連物品投出装置２０は、この広告Ｎｏの受信待ちの状態にあり（ステップＳ１０７Ｎｏ）、広告Ｎｏを受信したならば（ステップＳ１０７Ｙｅｓ）、広告関連物品テーブル２４ａを参照してラックＮｏを特定し（ステップＳ１０８）、特定したラックＮｏにある広告関連物品３を投出口２６に投出した後（ステップＳ１０９）、ステップＳ１０７に移行する。
【００５６】
上述してきたように、本実施例１では、デジタルサイネージ装置１０のタッチパネル表示部１１への広告データ１４ａの表示が終わり、視聴者がタッチパネル表示部１１の一部をタッチ操作すると、広告情報送信部１５ｂが広告Ｎｏを広告関連物品投出装置２０に送信し、広告関連物品投出装置２０は、広告関連物品テーブル２４ａを参照して、この広告Ｎｏに対応する広告関連物品３を収納する広告関連物品収納部２２のラックＮｏを特定し、特定したラックＮｏに収納した広告データ１４ａに対応する広告関連物品３を投出口２６に投出するよう構成したので、視聴者は、高機能な携帯電話機を有しない場合であっても、視聴した広告データに関連する広告関連物品３を入手することが可能となる。
【実施例２】
【００５７】
ところで、上記実施例１では、視聴者によるタッチ操作がなされたことを条件として全ての視聴者に一律に同じ広告関連物品３を提供することとしたが、視聴者の属性に応じて該視聴者に提供する広告関連物品３を変えることもできる。そこで、本実施例２では、視聴者の性別に応じて該視聴者に提供する広告関連物品３を変える場合について説明する。
【００５８】
まず、本実施例２に係るデジタルサイネージシステムの外観構成を説明する。図７は、本実施例２に係るデジタルサイネージシステムの外観構成を示す図である。本実施例２に係るデジタルサイネージシステムは、すでに説明した実施例１と同様に、デジタルサイネージ装置３０及び広告関連物品投出装置４０とからなり、カメラ３１が設けられている以外は実施例１のものとその外観は共通する。
【００５９】
かかるカメラ３１を設けた理由は、デジタルサイネージ装置３０に表示された広告データを視聴する視聴者の性別や年齢等の属性を画像処理技術によって認識するためである。また、視聴者が広告データ１４ａを一定時間視聴したか否かを判定するためである。なお、以下では視聴者の性別を属性として取り扱う場合について説明するが、周知の顔画像認識技術を用いることで視聴者の年齢を推定することで、視聴者の年齢を属性として取り扱うことも可能である。
【００６０】
次に、図７に示したデジタルサイネージ装置３０及び広告関連物品投出装置４０の内部構成を説明する。図８に示すように、このデジタルサイネージ装置３０は、タッチパネル表示部１１と、Ｉ／Ｆ部１２と、Ｉ／Ｆ部１３と、記憶部１４と、カメラ３１と、制御部３２とを有する。なお、図４に示したものと同一の機能部には同一の符号を付すこととしてその詳細な説明を省略する。
【００６１】
カメラ３１は、視聴者の顔画像を撮像する撮像部であり、撮像した顔画像データは制御部３２に出力される。このカメラ３１による視聴者の顔画像データは、同じ広告データ１４ａが表示されている間、一定時間周期で撮影される。
【００６２】
制御部３２は、デジタルサイネージ装置３０の全体制御を行う制御部であり、表示制御部１５ａ、属性判定処理部３３、視聴時間判定部３４及び広告情報送信部３５を有する。また、この制御部３２は、図４に示した制御部１５と同様の処理を行うほか、カメラ３１に対する撮像指示や撮像データの受け渡し処理についても行う。
【００６３】
属性判定処理部３３は、カメラ３１により撮像した画像データを画像認識処理して、視聴者の性別を判定する処理部である。なお、かかる性別の判定処理は、既存の画像認識技術で行うことができる。
【００６４】
視聴時間判定部３４は、視聴者が同じ広告データ１４ａを一定時間視聴したか否かを判定する処理部である。具体的には、カメラ３１が一定時間周期（例えば１０秒周期）で視聴者の顔画像を撮像するため、３つの画像に同一人物が写っていれば、該視聴者が一定時間である３０秒以上視聴したものと判定する。
【００６５】
広告情報送信部３５は、タッチパネル表示部１１の一部の領域に対する視聴者のタッチ入力を受け付けた場合に、視聴者が一定時間広告データ１４ａを視聴したと判定されたならば、属性判定処理部３３により判定された視聴者の性別に関するデータを広告Ｎｏとともに広告関連物品投出装置２０に対して送信する処理部である。なお、同じ視聴者が一定時間広告データ１４ａを視聴していないと判定された場合には、視聴者の性別に関するデータ及び広告Ｎｏを広告関連物品投出装置２０に対して送信しない。一定時間広告データ１４ａを視聴したもののみに広告関連物品を提供することとして、視聴者が広告データ１４ａを視聴しようとするインセンティブを高めるためである。
【００６６】
次に、図８に示した広告関連物品投出装置４０の内部構成について説明する。図８に示すように、この広告関連物品投出装置４０は、Ｉ／Ｆ部２１と、広告関連物品収納部２２と、広告関連物品投出機構２３と、広告関連物品テーブル４１を記憶する記憶部２４と、選択処理部４２を有する制御部２５とを有する。
【００６７】
図９は、図８に示した広告関連物品テーブル４１の一例を示す図である。同図に示すように、この広告関連物品テーブル４１は、広告Ｎｏ及び広告内容からなる広告種別データと、視聴者の性別、ラックＮｏ及び物品名からなる広告関連物品種別データとを対応づけたものである。
【００６８】
図９に示すように、広告Ｎｏ１及び広告内容「旅行Ａ」からなる広告種別データは、男性、ラックＮｏ１０及び物品名「ライター」からなる広告関連物品種別データと、女性、ラックＮｏ１１及び物品名「割引券ａ」からなる広告関連物品種別データとが対応づけられている。このため、同じ広告Ｎｏ１の広告データ１４ａを視聴した場合であっても、男性の場合にはライターが投出され、女性の場合には割引券ａが投出されることになる。
【００６９】
また、広告Ｎｏ２及び広告内容「製品Ｂ」からなる広告種別データは、男性、ラックＮｏ１２及び物品名「割引券ｂ」からなる広告関連物品種別データと、女性、ラックＮｏ１２及び物品名「割引券ｂ」からなる広告関連物品種別データとが対応づけられている。このため、広告Ｎｏ１の広告データ１４ａを視聴した場合には、男女いずれの場合であっても割引券ｂが投出されることになる。
【００７０】
また、広告Ｎｏ３及び広告内容「化粧品Ｃ」からなる広告種別データは、女性、ラックＮｏ１４及び物品名「サンプル」からなる広告関連物品種別データのみが対応づけられている。このため、広告Ｎｏ３の広告データ１４ａを視聴した場合に、男性の場合には何も広告関連物品が投出されず、女性の場合にはサンプルが投出されることになる。
【００７１】
選択処理部４２は、デジタルサイネージ装置３０から通知される広告Ｎｏ及び視聴者の性別を受け付けた場合に、広告関連物品テーブル２４ａに基づいてデジタルサイネージ装置１０に表示された視聴者の性別並びに広告Ｎｏに対応する広告関連物品３を選択処理する処理部である。例えばデジタルサイネージ装置１０から広告Ｎｏ１及び視聴者の性別「男性」を受け付けると、図９に示す広告関連物品テーブル４１を参照してライターが投出対象として選択されることになる。
【００７２】
次に、図８に示したデジタルサイネージ装置３０及び広告関連物品投出装置４０の処理手順について説明する。図１０は、図８に示したデジタルサイネージ装置３０及び広告関連物品投出装置４０の処理手順を示すフローチャートである。ここでは、説明の便宜上、スケジューリングデータ１４ｂはすでに読み込まれているものとする。
【００７３】
図１０に示すように、デジタルサイネージ装置３０は、記憶部１４に記憶した広告データ１４ａを読み込み（ステップＳ２０１）、スケジューリングデータ１４ｂに従って広告データ１４ａを再生する（ステップＳ２０２）。また、カメラ３１により視聴者の顔画像を撮像し（ステップＳ２０３）、顔認識処理を行って視聴者の性別を判定する（ステップＳ２０４）。
【００７４】
そして、広告データ１４ａの再生を終了したならば（ステップＳ２０５Ｙｅｓ）、視聴者が一定時間視聴したか否かを判定する（ステップＳ２０６）。具体的には、カメラ３１で定期的に顔画像を撮影し、同一人物の顔画像が所定の時間写っている場合には、一定時間視聴したものと判定する。
【００７５】
そして、一定時間視聴していないと判定された場合には（ステップＳ２０６Ｎｏ）、そのままステップＳ２０１に移行し、一定時間視聴したと判定された場合には（ステップＳ２０６Ｙｅｓ）、タッチパネル表示部１１の一部の領域を有効化して、視聴者によるタッチ操作を受け付け可能な状態とする（ステップＳ２０７）。
【００７６】
ここで、視聴者によるタッチ操作を受け付けたならば（ステップＳ２０８Ｙｅｓ）、それまでタッチパネル表示部１１に表示していた広告データの広告Ｎｏと視聴者の性別を広告関連物品投出装置４０に送信して（ステップＳ２０９）、ステップＳ２０１に移行する。一方、視聴者によるタッチ操作を受け付けなかった場合には（ステップＳ２０８Ｎｏ）、そのままステップＳ２０１に移行する。
【００７７】
広告関連物品投出装置４０は、この広告Ｎｏの受信待ちの状態にあり（ステップＳ２１０Ｎｏ）、広告Ｎｏを受信したならば（ステップＳ２１０Ｙｅｓ）、広告Ｎｏ及び視聴者の性別に基づいて広告関連物品テーブル４１を参照してラックＮｏを特定し（ステップＳ２１１）、特定したラックＮｏにある広告関連物品３を投出口２６に投出した後（ステップＳ２１２）、ステップＳ２１０に移行する。
【００７８】
上述してきたように、本実施例２では、デジタルサイネージ装置３０のタッチパネル表示部１１へ広告データ１４ａを表示している間、カメラ３１で視聴者の顔画像データを撮影し、一定時間同じ視聴者が広告データ１４ａを視聴していた場合には、広告データ１４ａの表示を終えた時点で、タッチパネル表示部１１の一部を有効化する。そして、視聴者がタッチパネル表示部１１の一部をタッチ操作すると、顔画像データから認識した視聴者の性別と広告Ｎｏを広告関連物品投出装置４０に送信し、広告関連物品投出装置４０は、広告関連物品テーブル４１を参照して、この広告Ｎｏ及び視聴者の性別に対応する広告関連物品３を収納する広告関連物品収納部２２のラックＮｏを特定し、特定したラックＮｏに収納した広告データ１４ａに対応する広告関連物品３を投出口２６に投出する。以上のように構成したので、視聴者が一定時間視聴した場合にのみ広告関連物品を投出することとして広告データ１４ａを視聴しようとするインセンティブを高めることができる。また、視聴者の性別に応じた広告関連物品を投出するため、視聴者が広告関連物品を得ようとするインセンティブも高めることができる。
【００７９】
なお、上記実施例２では、視聴者の顔画像データに基づいて該視聴者の性別を判別する場合を示したが、本発明はこれに限定されるものではなく、視聴者の年齢等を属性として取り扱うこともできる。この場合、例えば図９の広告関連物品テーブル４１の広告Ｎｏ３及び広告内容「化粧品Ｃ」からなる広告種別データを、男性、２０歳以上、物品名「サンプル」からなる広告関連物品種別データと対応づけ、２０歳以上の男性が広告Ｎｏ３の広告データ１４ａを視聴した場合にサンプルを投出することもできる。また、顔画像のみならず全身を撮影することで、視聴者の身長等を属性として取り扱うこともできる。
【００８０】
また、上記実施例２では、デジタルサイネージ装置３０にカメラ３１を設けた場合を示したが、本発明はこれに限定されるものではなく、広告関連物品投出装置４０にカメラ３１を設け、このカメラ３１で撮影した顔画像データを用いて広告関連物品投出装置４０側で視聴者の性別を判定することもできる。この場合は、属性判定処理部３３が広告関連物品投出装置４０に設けられることになる。
【００８１】
さらに、上記実施例２では、カメラ３１を用いて視聴者が一定時間広告データ１４ａを視聴したか否かを判定することとしたが、本発明はこれに限定されるものではなく、人感センサを用いて視聴者の視聴時間を判定することもできる。
【００８２】
図１１は、デジタルサイネージ装置５０の別の内部構成例を示す機能ブロック図である。同図に示すように、このデジタルサイネージ装置５０には、カメラ３１の代わりに人感センサ５１が設けられている。このため、このデジタルサイネージ装置５０は、視聴者の性別を判定することはできないが、人感センサ５１の検知時間を用いて視聴時間判定部５２により視聴時間を判定することができる。
【００８３】
また、このデジタルサイネージ装置５０は、視聴者へのアンケートをタッチパネル表示部１１に表示し、視聴者によるアンケートの回答をアンケートデータ５３として記憶部１４に記憶することとしたので、視聴者によるアンケート結果を踏まえて商品等の改善を図ることができる。
【００８４】
さらに、上記実施例１及び２では、タッチパネル表示部１１を用いる場合を示したが、本発明はこれに限定されるものではなく、タッチパネル表示部１１の代わりに液晶パネル及びメカニカルボタンを利用することもできる。
【００８５】
また、上記実施例１及び２では、広告関連物品投出装置２０及び４０を広告関連物品の専用機としたが、本発明はこれに限定されるものではなく、広告関連物品投出装置２０及び４０にタバコ等の自動販売機と兼用させることもできる。
【産業上の利用可能性】
【００８６】
以上のように、本願の開示するデジタルサイネージシステム及び広告関連物品投出装置は、様々な視聴者に対して適切な広告関連物品を簡易かつ効率的に提供する場合に適している。
【符号の説明】
【００８７】
１  デジタルサイネージシステム
２  収納ボックス
３  広告関連物品
１０  デジタルサイネージ装置
１１  タッチパネル表示部
１２，１３  インタフェース部（Ｉ／Ｆ部）
１４  記憶部
１４ａ  広告データ
１４ｂ  スケジューリングデータ
１５  制御部
１５ａ  表示制御部
１５ｂ  広告情報送信部
２０  広告関連物品投出装置
２１  インタフェース部（Ｉ／Ｆ部）
２２  広告関連物品収納部
２３  広告関連物品投出機構
２４  記憶部
２４ａ  広告関連物品テーブル
２５  制御部
２５ａ  選択処理部
２５ｂ  投出制御部
２６  投出口
３０  デジタルサイネージ装置
３１  カメラ
３２  制御部
３３  属性判定処理部
３４  視聴時間判定部
４０  広告関連物品投出装置
４１  広告関連物品テーブル
４２  選択処理部
５０  デジタルサイネージ装置
５１  人感センサ
５２  視聴時間判定部
５３  アンケートデータ
【図１】
2012037587.tif 000003
【図２】
2012037587.tif 000004
【図３】
2012037587.tif 000005
【図４】
2012037587.tif 000006
【図５】
2012037587.tif 000007
【図６】
2012037587.tif 000008
【図７】
2012037587.tif 000009
【図８】
2012037587.tif 000010
【図９】
2012037587.tif 000011
【図１０】
2012037587.tif 000012
【図１１】
2012037587.tif 000013